(57)【要約】  【課題】  既存の低電圧・低電流タイプの切換スイッチを使用できるミシン切換装置を提供すること。  【解決手段】切換スイッチを一方及び他方に操作して、夫々、電源電圧周波数が５０Ｈｚ及び６０Ｈｚの場合における、モータ駆動素子に付与するトリガタイミングの時定数回路を得るようにしてなるミシン切換装置において、前記切換スイッチの端子間電圧を制限手段により制限した。  【選択図】  図１
2005261132.tif 000002
【特許請求の範囲】
【請求項１】
切換スイッチを操作して、夫々、電源電圧周波数が５０Ｈｚ及び６０Ｈｚの場合における、モータ駆動素子に付与するトリガタイミングの時定数回路を得るようにしてなるミシン切換装置において、前記切換スイッチの端子間電圧を制限手段により制限したことを特徴とする、ミシン切換装置。
【請求項２】
前記制限手段はツエナーダイオードである、請求項１記載のミシン切換装置。
【請求項３】
前記トリガタイミングの時定数回路の一方のトリマの抵抗値を、他方の抵抗値よりも十分大きくしてなる、請求項１記載のミシン切換装置。
【発明の詳細な説明】
【技術分野】
【０００１】
本発明は、ミシンの切換装置に関し、特に商用１００Ｖ電源の周波数（５０Ｈｚ若しくは６０Ｈｚ）に応じてモータ駆動素子に付与するトリガタイミングの時定数回路を切換えるようにしたミシンの切換装置に関するものである。
【背景技術】
【０００２】
周知のように、東日本及び西日本における商用１００Ｖ電源の周波数は、夫々、５０Ｈｚ及び６０Ｈｚとなっており、この周波数の差異は、１００Ｖの商用電源によりモータを駆動した場合、モータへの供給電力の差異延いてはモータ回転数の差異となって顕在化する。しかして、所謂オープンループのモータ制御装置（つまり、マイコンなどによるフィードバック制御しないモータ制御装置）においては、かようなモータ回転数の差異が惹起されないように、電源周波数に応じて、モータ駆動素子のトリガを与えるタイミングを決める時定数を、電源ラインに介装される切換スイッチにより、変更している。つまり、電源周波数が５０Ｈｚの場合は、切換スイッチを第１の位置におき、電源周波数が６０Ｈｚの場合は、切換スイッチを第２の位置におくようにしている。
【０００３】
上記した制御回路においては、切換スイッチは電源ラインに介装されているので、切換スイッチの両端部には１００Ｖが印加される。また、切換スイッチに流れる電流は、トリガタイミングを決定する回路の抵抗により、微小電流（通常は、数ｍＡ）となっている。
【発明の開示】
【発明が解決しようとする課題】
【０００４】
上記した制御回路における切換スイッチは、高電圧・低電流タイプであるべきであるが、実際には、かようなタイプの切換スイッチは市販されておらず、ミシン回転の信頼性確保その他の観点から、特注しているのが現状である。コスト低減の観点から、市販の切換スイッチの流用が要請される。
【０００５】
それ故に、本発明は、かような要請に応えることを、技術的課題とするものである。
【課題を解決するための手段】
【０００６】
上記技術的課題を解決するために請求項１記載の発明において講じた技術的手段は、切換スイッチを操作して、夫々、電源電圧周波数が５０Ｈｚ及び６０Ｈｚの場合における、モータ駆動素子に付与するトリガタイミングの時定数回路を得るようにしてなるミシン切換装置において、前記切換スイッチの端子間電圧を制限手段により制限したことである。
【０００７】
上記構成においては、制限手段をツエナーダイオードで形成したり（請求項２）、トリガタイミングの時定数回路の一方のトリマの抵抗値を、他方の抵抗値よりも十分大きくしたりすること（請求項３）が望ましい。
【発明の効果】
【０００８】
請求項１記載の発明によれば、切換スイッチの端子間電圧は制限手段により制限したので、この端子間電圧を低電圧ならしめることでき、市販の低電圧・低電流タイプのものをそのまま採用でき、実用上、多大な効果を奏する。
【発明を実施するための最良の形態】
【０００９】
本発明を実施するための最良の形態例を、図１に依拠して、説明する。
【００１０】
モータ４の回転を制御する回路においては、商用電源１、電源スイッチ（メインスイッチ）２、モータ駆動素子１３、起動・停止スイッチ５及びモータ４が直列接続される。しかして、電源スイッチ２が閉じられているとき、起動・停止スイッチ５をオン・オフすることにより、モータ４が回転・停止される。
【００１１】
モータ駆動素子１３は、トリガタイミング゛の時定数回路６・７・８・９・１０とトリガ素子１２から発生されるトリガによりオンされる。モータ駆動素子１３がオンされると、モータ駆動素子１３によりオンされ（つまり導通状態になり）、モータ４への通電がなされ、モータ駆動素子１３の入力電圧Ｖａが０Ｖになると、モータ駆動素子１３がオフとなり、モータ４への通電が遮断される。
【００１２】
また、このトリガのタイミング（位相）を変えることにより、モータ４への通電時間（電力）を変化させ、モータ４の回転数を早くしたり遅くしたりする制御をなすことができる。しかして、トリガタイミングを決定する時定数は、モータ４の回転数を任意に変更するための本体スライドボリュム６と切替回路７によって切り替えられた回転数を調整するトリマ８ａ・８ｂ、抵抗９及びコンデンサ１０によって決定される。
【００１３】
コンデンサ１０には、チャージ電圧Ｖｃが抵抗６・８ａ・８ｂを介してチャージされる。このチャージ電圧Ｖｃがトリガ素子１２の閾値電圧Ｖｂを越えた時点で、トリガ素子１２がオンとなり、モータ駆動素子１３にトリガを与える。
【００１４】
トリガのタイミング（位相）は、モータ４の回転数を任意に変更するための本体スライドボリューム６によって任意に変更される。ユーザが本体スライドボリューム６の位置（抵抗値）を変更することによって、モータ４の回転数（ミシン回転数）をユーザが思いのままに調整することが可能となる。
【００１５】
切換回路７の切換は、商用電源１の周波数に応じて（つまり、５０Ｈｚか６０Ｈｚ）ユーザが行う。この切替操作により、トリガタイミング゛の時定数回路であるミシン回転数調整回路8のトリマ８ａ（若しくは８ｂ）への接続が切換えられる。しかして、ミシン回転数調整回路8のトリマ８は、周波数が５０Ｈｚ入力時の調整するトリマ８ａと周波数が６０Ｈｚ入力時の調整するトリマ８ｂとからなり、商用電源１の周波数に応じて最低回転数を調整できる構成となっている。これにより、電源周波数の差による回転数差を少なくすることが可能となる。尚、このトリマ８は製品出荷前に設定され、ユーザはアクセス不能とされる。
【００１６】
なお、モータ４の回転数を任意に変更するための本体スライドボリューム６が最低回転数を指示している時は、本体スライドボリューム６はオープン状態となり、コンデンサ１０へのチャージはミシン回転数調整回路８からなされる。逆に、本体スライドボリューム６が最高回転数を指示している時は、本体スライドボリューム６は短絡状態となり、コンデンサ１０へのチャージはミシン回転数調整回路８と無関係に（影響を受けずに）なされる。
【００１７】
このように、上記した回路は、電源の周波数波形に同期した位相制御を行い、モータ４の回転数を調整する回路である。しかして、この回路においては、切換スイッチ７ａは電源ラインに介装されており、スイッチ７ａの端子間（図中ではa-c，b-c間）に約１００Ｖが印加される。一方、スイッチ７ａに流れる電流は、トリガタイミング゛を決定する時定数回路の抵抗６・８・９により数ｍＡと微少電流となる（例えば、抵抗９の抵抗値が１５ＫΩと設定すると、この回路の電流は最大でも約７ｍＡと微小電流となることがわかる）。
【００１８】
しかして、切換スイッチ７ａの端子ａ−ｂ間（端子ａ−ｃ間）には、ツエナーダイオード７ｂ・７ｃ（ツエナーダイオード７ｄ・７ｅ）が接続されており、このツエナーダイオード７ｂ・７ｃ（ツエナーダイオード７ｄ・７ｅ）が端子ａ−ｂ間（端子ａ−ｃ間）にかかる電圧を所定値以下に制限している。このように、切換スイッチ７ａの端子ａ−ｂ間（端子ａ−ｃ間）にかかる電圧を制限することにより、切換スイッチ７ａを低電圧・低電流タイプのものを採用することができ、信頼性，安定性が得られる。また、電圧制限手段として、ツエナーダイオードを採用することにより、安価で安定した端子間電圧が得られる。更には、ツエナーダイオードを図示のように突合せ接続することにより、交流回路への使用が可能となる。
【００１９】
上記回路において、切換スイッチ７ａの端子ａ−ｂ間（端子ａ−ｃ間）電圧を３０Ｖ以下とすることによって、法律で要求される１００Ｖ回路の点滅器に要求される技術基準を充足でき、電気用品安全法に抵触する危惧は払拭できる。また、定格電圧が２４Ｖのツエナーダイオードを使用することにより、切換スイッチ７ａの端子間（図中ではa-c，b-c間）電圧を２４Ｖに制限することができる。
【００２０】
尚、５０Ｈｚ／６０Ｈｚ時の回転数を調整するトリマ８ａ及びトリマ８ｂの何れか一方の抵抗値を大きくとることにより、トリマ８ａ及びトリマ８ｂのリークの影響を受けにくくすることが可能となり、結果、ミシン回転数の調整方法が簡単化され、調整工数の低減となる。上記回路においては、電源周波数５０Ｈｚ入力時の回転数を調整するトリマ８ａの抵抗値を２ＭΩ、電源周波数６０Ｈｚ入力時の回転数を調整するトリマ８ｂの抵抗値を５００ｋΩとし、調整の簡単化を狙った。
【００２１】
以上、本発明の実施の形態について説明したが、本発明は上述した実施の形態に限定される意図はなく、本発明の趣旨に沿った形態のミシン制御回路であれば、どのようなものでもよい。
【図面の簡単な説明】
【００２２】
【図１】本発明に係るミシン切換装置の制御回路の一例の回路図である。
【符号の説明】
【００２３】
１：商用電源
７：切換スイッチ
７ｂ〜７ｅ：ツエナーダイオード（制限手段）
８：ミシン回転数調整回路（トリガタイミングの時定数回路）
【図１】
2005261132.tif 000003